(57)【要約】      （修正有）【課題】消臭用オゾン発生装置の放電部の電極に付着して溜まるカーボンを清掃する際に行う放電部の取り外しとそれの組付けが簡単に行えるようにして、放電部の清掃作業が熟練を要さずに行えるように１したマイナスイオン発生機を提供する。【解決手段】消臭用オゾン発生装置Ｂを、機体１に対し組み付ける基体部２と、電極板３０および電極針３１を組み付けた放電部３とに別けてそれぞれ別体に形成し、基体部２には、一対に並列するコンタクト挿入ソケット２１・２１をスリーブ状に形成して装設し、放電部３には、コンタクト挿入ソケット２１・２１に対し抜き差し自在に嵌合するピン状のコンタクト３２・３２を装設し、このコンタクト３２・３２のコンタクト挿入ソケット２１・２１に対する抜き差しにより、基体部２に対する放電部３の組み付けと取り外しが行われるようにする。【選択図】図１０
0003134429.tif 000002
【実用新案登録請求の範囲】
【請求項１】
箱状に形成した機体（１）内に、マイナスイオン発生装置（Ａ）と、消臭用オゾン発生装置（Ｂ）とを装備せしめたマイナスイオン発生機において、消臭用オゾン発生装置（Ｂ）を、機体（１）に対し組み付ける基体部（２）と、電極板（３０）および電極針（３１）を組み付けた放電部（３）とに別けてそれぞれ別体に形成し、基体部（２）には、一対に並列するコンタクト挿入ソケット（２１）・（２１）をスリーブ状に形成して装設し、放電部（３）には、前記コンタクト挿入ソケット（２１）・（２１）に対し抜き差し自在に嵌合するピン状のコンタクト（３２）・（３２）を装設し、このコンタクト（３２）・（３２）の前記コンタクト挿入ソケット（２１）・（２１）に対する抜き差しにより、基体部（２）に対する放電部（３）の組み付けと取り外しが行われるようにしたことを特徴とするマイナスイオン発生機。
【請求項２】
スリーブ状に形成して消臭用オゾン発生装置（Ｂ）の基体部（２）に装設する一対のコンタクト挿入ソケット（２１）・（２１）を、基体部（２）の前面側に、左右または上下に一対に並列するよう装設し、このコンタクト挿入ソケット（２１）・（２１）と抜き差し自在に嵌合する一対のコンタクト（３２）・（３２）を、放電部（３）の背面側に後方に向け突出するよう装設したことを特徴とする請求項１記載のマイナスイオン発生機。
【請求項３】
消臭用オゾン発生装置（Ｂ）の基体部（２）に装設する一対のコンタクト挿入ソケット（２１）・（２１）を、それの軸芯線が左右方向に沿い接続口となる開放口（２１ａ）が側方に開口する姿勢として基体部（２）の側面部に装設し、このコンタクト挿入ソケット（２１）・（２１）に抜き差し自在に嵌合する一対のコンタクト（３２）・（３２）を、放電部（３）の側面部に左右方向に沿い突出するよう装設したことを特徴とする請求項１記載のマイナスイオン発生機。
【考案の詳細な説明】
【技術分野】
【０００１】
本考案は、家屋の室内に設置し得る小型の箱状に形成した機体内に、圧電方式によりニードル（電極）からマイナスイオンを発生するマイナスイオン発生装置と、電極間に高圧の電気を印加して放電させオゾンを発生させる消臭用オゾン発生装置と、機体内において発生させたイオンおよびオゾンを、室内の遠くに到達させるための風洞およびファンを組み込んで構成し、室内の空気の環境を良好にするように用いるイオン発生機についての改良に関する。
【背景技術】
【０００２】
マイナスイオン発生機は、通常、室内に設置し得る小型の箱状に形成した機体の内部に、商用電源からの通電により高圧の電圧を発生する圧電装置によって、ニードル（電極）に高圧の電圧をかけることで、そのニードルから電子を放射してマイナスイオンを発生させるイオン発生装置と、発生させたマイナスイオンを室内に放出させるファンｆを組み込んだ風洞を組み込んで構成し、ニードル（電極）に高圧の電圧をかけて発生させたマイナスイオンを、ファンを組み合わせた風洞ｄの作動で室内の遠くの個所に到達させるように放出して、プラスイオンを中和し、室内の空気環境を爽快感にひたれる状態に保持するように用いられるものである。
【０００３】
このイオン発生機には、マイナスイオン発生装置の他に、室内の空気の殺菌や消臭効果を得るために、放電針よりなる電極と、これの周囲に環状に対向するステンレス板の電極板よりなるグランド板との、両電極間に高圧の電気を印加して放電させ、消臭用のオゾンを発生させる消臭用オゾン発生装置が組み込まれる。
【０００４】
このイオン発生機に組み込まれる、消臭用オゾン発生装置は、それの電極に、放電により発生するカーボン粒子が付着して溜まることで、使用中に次第に性能を低下させてくるので、使用中所定の時間をおいて、電極に溜まってくるカーボンを拭い取って清掃することが必要である。
【０００５】
一般的な消臭用オゾン発生装置の電極の清掃作業は、機体の正面側のパネルを開放し、消臭用オゾン発生装置を露出させ、取付ネジを外して、この消臭用オゾン発生装置を機体に固定装着している基体部から放電部を取り外し、取り外した状態で電極針と電極板とをふきとるようにして行うが、この取付ネジを外して放電部を取り外す作業と清掃を終えた後に放電部を再び基体部に取り付ける作業に慣れが必要で厄介な作業となる問題がある。
【考案の開示】
【考案が解決しようとする課題】
【０００６】
本考案において解決しようとする課題は、消臭用オゾン発生装置の放電部の電極に付着して溜まるカーボンを清掃する際に行う放電部の取り外しとそれの組付けが簡単に行えるようにして、放電部の清掃作業が熟練を要さずに行えるようにすることにある。
【課題を解決するための手段】
【０００７】
本考案においては、上述の課題を解決するための手段として、箱状に形成した機体１内に、マイナスイオン発生装置Ａと、消臭用オゾン発生装置Ｂとを装備せしめたマイナスイオン発生機において、消臭用オゾン発生装置Ｂを、機体１に対し組み付ける基体部２と、電極板３０および電極針３１を組み付けた放電部３とに別けてそれぞれ別体に形成し、基体部２には、一対に並列するコンタクト挿入ソケット２１・２１をスリーブ状に形成して装設し、放電部３には、前記コンタクト挿入ソケット２１・２１に対し抜き差し自在に嵌合するピン状のコンタクト３２・３２を装設し、このコンタクト３２・３２のコンタクト挿入ソケット２１・２１に対する抜き差しにより、基体部２に対する放電部３の組み付けと取り外しが行われるようにしたことを特徴とするマイナスイオン発生機、および、
スリーブ状に形成して消臭用オゾン発生装置Ｂの基体部２に装設する一対のコンタクト挿入ソケット２１・２１を、基体部２の前面側に、左右または上下に一対に並列するよう装設し、このコンタクト挿入ソケット２１・２１と抜き差し自在に嵌合する一対のコンタクト３２・３２を、放電部３の背面側に後方に向け突出するよう装設したことを特徴とする請求項１記載のマイナスイオン発生機、ならびに、
消臭用オゾン発生装置Ｂの基体部２に装設する一対のコンタクト挿入ソケット２１・２１を、それの軸芯線が左右方向に沿い接続口となる開放口２１ａが側方に開口する姿勢として基体部２の側面部に装設し、このコンタクト挿入ソケット２１・２１に抜き差し自在に嵌合する一対のコンタクト３２・３２を、放電部３の側面部に左右方向に沿い突出するよう装設したことを特徴とする請求項１記載のマイナスイオン発生機を特徴とする手段を提起するものである。
【考案の効果】
【０００８】
本考案手段は、機体に組み付けた消臭用オゾン発生装置Ｂの、放電部に設けた電極針３１と電極板３０とに溜まったカーボンを清掃するときに、機体１の前面側のパネル１０を開いて、消臭用オゾン発生装置Ｂを露出させた状態で、それの放電部３を指先でつまんで引き出せば、放電部３がそっくり基体部２から取り外されるから、電極針３１及び電極板３０の清掃が簡易に行える。そして、清掃後に、放電部３をつまんで、それに設けたコンタクト３２・３２を基体部２に、設けてある一対のスリーブ状のコンタクト挿入ソケット２１・２１に差し込めば、ソケットに差し込んだプラグのように、放電部３が基体部２に組み付けられるようになる。
【考案を実施するための最良の形態】
【０００９】
次に本考案の実施の態様を、実施例につき図面に従い詳述する。
【実施例１】
【００１０】
図１は、本考案手段を実施せるイオン発生機Ｗの、前面側のパネル１０を取り外した状態における前面図、図２は同上状態の縦断した側面図で、これら図において、１は箱状に形成した機体、１０はその機体１の前面側に装脱自在に組み付けた前面側のパネル、Ａはニードルａに高圧の電圧をかけることでそのニードルａから電子を放射してマイナスイオンを発生させるマイナスイオン発生装置、ｂは高圧の電圧を発生させる圧電装置、ｃは電源ユニット、Ｂは消臭用オゾン発生装置、ｄは風洞を示す。
【００１１】
機体１は長方形状の箱状に形成してあり、それの内部は、棚設した棚板１１により上下に２分するよう区画され、上部側の区画内に、ファンｆを組み込んだ風洞ｄ・ｄが、左右に一対に並列して装設してある。
【００１２】
また、下部側の区画内には、電源ユニットｃと圧電装置ｂとが、左右に並列するように組み付けてある。
【００１３】
前記風洞ｄ・ｄは、円筒状に形成した通常のものであるが、内腔には、板面が軸芯線に平行する平板状の整風板１２を設けている。
【００１４】
また、左右の風洞ｄ・ｄのうち、右側の風洞ｄにあっては、この例においては、整風板１２を、風洞ｄを上下に２分するように、軸芯線を通る水平な仕切板状に設け、かつ、周壁は、この整風板１２より下方に位置する部位を切除することで、半円筒状に形成してある。
【００１５】
そして、消臭用オゾン発生装置Ｂは、この半円筒状の風洞ｄの、切り欠かれた下半側の部位に配位して機体１の棚板１１の上面に組み付けてある。
【００１６】
この消臭用オゾン発生装置Ｂは、図３〜図８に示している如く、基台となる基体部２と、放電部３とがそれぞれ別体に形成してある。
【００１７】
基体部２は、左右に長いブロック状に形成してあって、それの左右の両端側には、該基体部２を機体１に対しネジにより固定装着するためのネジ穴２０・２０が設けてあり、中央部位には、放電部３に設けられる陽極となる電極板（グランド板）３０及び陰極となる電極針３１に対し電気的に接続するための接続口となるコンタクト挿入ソケット２１・２１が装設してある。
【００１８】
この中央部位に設けたコンタクト挿入ソケット２１・２１は、この例においては、図３及び図５にあるように左右に一対に並列するように装設してあり、かつ、軸芯線を前後方向としたスリーブ状に形成して、それの開放口２１ａが、基体部２の前面側に開口するように装設してある。
【００１９】
放電部３は、図６乃至図８に示しているように、左右に長いブロック状に形成してあり、前記基体部２に対面する後面側に電極針３１を設けた陰極板３１ａが組み付けられ、前面側に前記電極針３１と対応する陽極となるグランド板３０が取り付けられている。
【００２０】
また、基体部２に対面する後面側には、グランド板３０に電気的に接続するコンタクト３２と、電極針３１に電気的に接続するコンタクト３２とが、左右に一対に並列するよう配位して組み付けてある。
【００２１】
この一対のコンタクト３２・３２は、前述の基体部２の前面側に左右に一対に設けたコンタクト挿入ソケット２１・２１と対応する位置にそれぞれ装設してあり、かつ、それらコンタクト挿入ソケット２１・２１に嵌合するピン状に形成してある。
【００２２】
前記グランド板３０は、ステンレス板よりなり、図８に示しているように環状の陽極部が設けられ、これの軸芯部位に前述の電極針３１が位置するようにしてある。
【００２３】
また、この放電部３は、それのブロック状に形成したボディ３ａが、図１０に示しているように、それの左右の両端部を手ｈの指先で挟持し得る巾に形成してあって、これを指先でつまんで、ピン状に形成したコンタクト３２・３２を、前記基体部２に設けたコンタクト挿入ソケット２１・２１に、差し込んでいくことで、基体部２に対し、ソケットに差し込んだプラグのように一体的に組み付けられるようにしてある。
【００２４】
従って、この実施例においては、放電部３の電極に溜まるカーボンを清掃するときに、マイナスイオン発生装置Ａの機体１の前面側のパネル１０を取り外して、機体１内に組み付けてある消臭用オゾン発生装置Ｂを露出させ、それの放電部３のボディ３ａを指先でつまんで手前に引けば、放電部３のピン状に形成してあるコンタクト３２・３２が、基体部２に設けてあるスリーブ状のコンタクト挿入ソケット２１・２１から引き抜かれて、放電部３が取り出されるから、電極針３１及びグランド板３０の電極に付着しているカーボンを拭い取って清掃する作業を、取り出した状態で楽に行えるようになる。そして清掃を終えたところで、放電部３をつまんでコンタクト３２・３２を基体部２に設けたコンタクト挿入ソケット２１・２１に差し込めば、組み付けた状態となるから組み付けも簡単に行えるようになる。
【実施例２】
【００２５】
図９は別の実施例を示している。この例は、消臭用オゾン発生装置Ｂのボディとなる基体部２は、左右に長いブロック状に形成するが、これに設けるスリーブ状のコンタクト挿入ソケット２１・２１を、それの軸芯線の方向が上下方向となる姿勢として左右に一対に並列させて設け、かつ、それらの開放口２１ａ・２１ａを上面側に開放させた形態として、放電部３に一対に設けるコンタクト３２・３２を、上方から差し込むことで接続するようにしている例である。
【００２６】
この例においては、放電部３に設けるコンタクト３２・３２は、放電部３のボディ３ａの下面側に、軸線方向を上下方向に沿わせて設けられることになる。
【００２７】
また、基体部２に設けるスリーブ状のコンタクト挿入ソケット２１・２１は、例えば、図３に示す基体部２を平面視において９０度旋回させて、側面に開放口２１ａ・２１ａが開放するように機体１に組み付けることで、軸線方向が左右方向に沿う姿勢とし、放電部３に設けるコンタクト３２・３２を、側方から差し込むようにしてもよい。この場合には、基体部２に対する放電部３の組み付け及び取り外しが、放電部３を左右方向に動かすことで行われるようになる。
【図面の簡単な説明】
【００２８】
【図１】本考案を実施せるイオン発生機の前面側のパネルを取り外した状態における前面図である。
【図２】同上イオン発生機の同上状態における縦断した側面図である。
【図３】同上イオン発生機のマイナスイオン発生装置の基体部の平面図である。
【図４】同上基体部の側面図である。
【図５】同上基体部の前面図である。
【図６】マイナスイオン発生装置の放電部の平面図である。
【図７】同上放電部の側面図である。
【図８】同上放電部の前面図である。
【図９】別の実施例におけるマイナスイオン発生装置の、基体部の平面図である。
【図１０】マイナスイオン発生装置の基体部に対する放電部の組み付け及び取り外しの作業操作を説明する説明図である。
【図１１】マイナスイオン発生装置の放電部の拡大した前面図である。
【図１２】同上放電部の側面図である。
【符号の説明】
【００２９】
Ａ  マイナスイオン発生装置
Ｂ  消臭用オゾン発生装置
Ｗ  イオン発生機
ａ  ニードル
ｂ  圧電装置
ｃ  電源ユニット
ｄ  風洞
ｆ  ファン
ｈ  手
１  機体
１０  パネル
１１  棚板
１２  整風板
２  基体部
２０・２０  ネジ穴
２１・２１  コンタクト挿入ソケット
２１ａ  開放口
３  放電部
３ａ  ボディ
３０  陽極となる電極板（グランド板）
３１  陰極となる電極針
３１ａ  陰極板
３２・３２  コンタクト
【図１】
0003134429.tif 000003
【図２】
0003134429.tif 000004
【図３】
0003134429.tif 000005
【図４】
0003134429.tif 000006
【図５】
0003134429.tif 000007
【図６】
0003134429.tif 000008
【図７】
0003134429.tif 000009
【図８】
0003134429.tif 000010
【図９】
0003134429.tif 000011
【図１０】
0003134429.tif 000012
【図１１】
0003134429.tif 000013
【図１２】
0003134429.tif 000014